(57)【要約】【課題】２０〜２５ｃｍの住宅の壁面の開口部に家具類を収納するものがあるが、この寸法に合った家具類とする必要がある。本発明はこれとは異なり、薄く畳み込み可能な組み立て家具として、畳んだ状態と家具形態のセット状態とに可動する、軽量金属製平面材の組み合わせによって構成する。またこの板状組み立て家具の収納システムとして、薄いパネルに形成した収納凹部にこの組み立て家具を収納する組み立て家具収納システムを提供する。【解決手段】家具の主体的機能部とこの主体的機能部を支える支え部が平面材の組み合わせによって構成され、平面材相互は板厚方向にセット状態と畳んだ状態とに可動連接され、畳んだ状態の組み立て家具の周囲形と略相似形の収納凹部に板厚方向にこの家具を収納するためのパネルからなる。【選択図】図２０
2007301026.tif 000002
【特許請求の範囲】
【請求項１】
家具の主体的機能部とこの主体的機能部を支える支え部が、所定の家具形態に組み上がったセット状態と畳んだ状態とに可動構成される組み立て家具であり、前記主体的機能部と前記支え部は、それぞれ単一の平面材構成又は板厚方向にセット状態と畳んだ状態とに可動連接された複数の平面材の組み合わせ構成であり、前記主体的機能部と前記支え部は分離自在構成又は前記平面材の板厚方向にセット状態と畳んだ状態とに可動する連接構成であることを特徴とする組み立て家具。
【請求項２】
家具の主体的機能部とこの主体的機能部を支える支え部が、所定の家具形態に組み上がったセット状態と畳んだ状態とに可動構成された組み立て家具であり、前記主体的機能部と前記支え部は、それぞれ板厚方向にセット状態と畳んだ状態とに可動連接された複数の平面材の組み合わせで構成された別体構成であり、前記主体的機能部の平面材相互と、前記支え部の平面材相互は、それぞれ連接部でもって板厚方向にセット状態と畳んだ状態とに可動連接され、前記別体構成の主体的機能部と支え部との組み合わせにて家具形態のセット状態となることを特徴とする組み立て家具。
【請求項３】
家具の主体的機能部とこの主体的機能部を支える支え部が平面材の組み合わせによって構成されると共に隣接する前記平面材相互が連接部で板厚方向に畳み込み可能に連接され、前記平面材相互が畳んだ状態と、前記平面材が所定の家具形態に組み上がったセット状態のいずれの状態においても、前記主体的機能部と前記支え部が前記平面材の板厚方向に畳み込み可能に連接部で連接されたことを特徴とする組み立て家具。
【請求項４】
前記主体的機能部と前記支え部が畳まれて重ね合わさった状態において、前記平面材が４枚重ね状態以下の状態となる構成であることを特徴とする請求項２又は３に記載の組み立て家具。
【請求項５】
前記平面材は、並行配置の一対の表面材とこの一対の表面材に略直角に交差する心材によって、前記一対の表面材方向に開口する多数のハニカム状空洞を形成したハニカム構造の板体であることを特徴とする請求項１乃至４のいずれかに記載の組み立て家具。
【請求項６】
隣接する平面材相互が連接部で板厚方向に畳み込み可能に連接され、前記平面材相互が畳まれた状態と、前記平面材が所定の家具形態に組み上がったセット状態とに可動構成された板状組み立て家具と、前記畳んだ状態の板状組み立て家具を板厚方向に収納するためにこの畳んだ状態の板状組み立て家具の周囲形と略相似形の収納凹部を形成したパネルとからなる組み立て家具収納システム。
【請求項７】
隣接する平面材相互が連接部で板厚方向に畳み込み可能に連接され、前記平面材相互が畳まれた状態と、前記平面材が所定の家具形態に組み上がったセット状態とに可動構成された板状組み立て家具と、前記畳んだ状態の板状組み立て家具を板厚方向に収納するためにこの畳んだ状態の板状組み立て家具の周囲形と略相似形の収納凹部を形成したパネルとからなり、前記平面材は、それぞれ並行配置の一対の表面材とこの一対の表面材に略直角に交差する心材によって、前記一対の表面材方向に開口する多数のハニカム状空洞を形成したハニカム構造の板体で構成されたことを特徴とする組み立て家具収納システム。
【発明の詳細な説明】
【技術分野】
【０００１】
本発明は、平面的に畳み込み可能な組み立て家具と、この組み立て家具を平面的に収納する収納システムに関する。
【背景技術】
【０００２】
通常２０〜２５ｃｍである住宅の壁面を利用して家具類を収納するものとして、壁面を貫通して家具類を収納するための躯体開口部を設け、この躯体開口部に収納する家具類の背面側の開口面に対候性断熱板を設けて家具類収納壁構造としたものがある。これは、通常２０〜２５ｃｍである住宅の壁面を利用して家具類を収納するために、耐久性と断熱性を考慮した対候性断熱板を採用する点に特徴を有するものである。（例えば、特許文献１参照）。
【特許文献１】特開２００２−２７６０７６号公報
【発明の開示】
【発明が解決しようとする課題】
【０００３】
特許文献１においては、２０〜２５ｃｍである住宅の壁面に貫通形成した開口部に家具類を収納するため、この寸法に合った家具類の形態とする必要が生じる。本発明は、これとは異なり、薄く畳み込み可能な形態の組み立て家具の提供を一つの目的とする。この場合、組み立て家具は、畳んだ状態と所定の家具形態に組み上がったセット状態とに可動構成された平面材の組み合わせによって構成することに特徴を有し、具体的構成として、軽量金属製平面材を採用することにより、強度的に優れると共に組み立てと持ち運びにも便利なものとする。
【０００４】
また本発明は、このような平面材の組み合わせによって構成した板状組み立て家具を収納する場合の収納システムとして、かなり薄いパネルに浅い収納凹部を形成して、この収納凹部に畳んだ組み立て家具を収納する組み立て家具収納システムを提供することを一つの目的とする。また、この組み立て家具とこのパネルは、相互に分離して使用可能とし、自由に部屋のレイアウトの変更を可能とする。更に、この組み立て家具とこのパネルは、それぞれ独立して、また組み合わさって、新規なインテリアデザインの提起に適するものとする。
【課題を解決するための手段】
【０００５】
第１発明の組み立て家具は、家具の主体的機能部とこの主体的機能部を支える支え部が、所定の家具形態に組み上がったセット状態と畳んだ状態とに可動構成される組み立て家具であり、前記主体的機能部と前記支え部は、それぞれ単一の平面材構成又は板厚方向にセット状態と畳んだ状態とに可動連接された複数の平面材の組み合わせ構成であり、前記主体的機能部と前記支え部は分離自在構成又は前記平面材の板厚方向にセット状態と畳んだ状態とに可動する連接構成であることを特徴とする。
【０００６】
第２発明の組み立て家具は、家具の主体的機能部とこの主体的機能部を支える支え部が、所定の家具形態に組み上がったセット状態と畳んだ状態とに可動構成された組み立て家具であり、前記主体的機能部と前記支え部は、それぞれ板厚方向にセット状態と畳んだ状態とに可動連接された複数の平面材の組み合わせで構成された別体構成であり、前記主体的機能部の平面材相互と、前記支え部の平面材相互は、それぞれ連接部でもって板厚方向にセット状態と畳んだ状態とに可動連接され、前記別体構成の主体的機能部と支え部との組み合わせにて家具形態のセット状態となることを特徴とする。
【０００７】
第３発明の組み立て家具は、家具の主体的機能部とこの主体的機能部を支える支え部が平面材の組み合わせによって構成されると共に隣接する前記平面材相互が連接部で板厚方向に畳み込み可能に連接され、前記平面材相互が畳んだ状態と、前記平面材が所定の家具形態に組み上がったセット状態のいずれの状態においても、前記主体的機能部と前記支え部が前記平面材の板厚方向に畳み込み可能に連接部で連接されたことを特徴とする。
【０００８】
第４発明の組み立て家具は、第２発明又は第３発明において、前記主体的機能部と前記支え部が畳まれて重ね合わさった状態において、前記平面材が４枚重ね状態以下の状態となる構成であることを特徴とする。
【０００９】
第５発明の組み立て家具は、第１発明乃至第４発明のいずれかにおいて、前記平面材は、並行配置の一対の表面材とこの一対の表面材に略直角に交差する心材によって、前記一対の表面材方向に開口する多数のハニカム状空洞を形成したハニカム構造の板体であることを特徴とする。
【００１０】
第６発明の組み立て家具収納システムは、隣接する平面材相互が連接部で板厚方向に畳み込み可能に連接され、前記平面材相互が畳まれた状態と、前記平面材が所定の家具形態に組み上がったセット状態とに可動構成された板状組み立て家具と、前記畳んだ状態の板状組み立て家具を板厚方向に収納するためにこの畳んだ状態の板状組み立て家具の周囲形と略相似形の収納凹部を形成したパネルとからなることを特徴とする。
【００１１】
第７発明の組み立て家具収納システムは、隣接する平面材相互が連接部で板厚方向に畳み込み可能に連接され、前記平面材相互が畳まれた状態と、前記平面材が所定の家具形態に組み上がったセット状態とに可動構成された板状組み立て家具と、前記畳んだ状態の板状組み立て家具を板厚方向に収納するためにこの畳んだ状態の板状組み立て家具の周囲形と略相似形の収納凹部を形成したパネルとからなり、前記平面材は、それぞれ並行配置の一対の表面材とこの一対の表面材に略直角に交差する心材によって、前記一対の表面材方向に開口する多数のハニカム状空洞を形成したハニカム構造の板体で構成されたことを特徴とする。
【発明の効果】
【００１２】
第１の発明では、別体構成の主体的機能部と支え部では、それぞれ平面材が連接部でもって板厚方向にセット状態と畳んだ状態とに可動連接されるため、平面材が重なる状態に畳まれることによって畳んだ厚さを小さくでき、畳んで収納する場合には、狭い収納場所への収納に適するものとなる。また、主体的機能部と支え部が、平面材の板厚方向にセット状態と畳んだ状態とに可動する連接構成である場合は、主体的機能部の平面材と支え部の平面材は、いずれも平面材相互が連接部でもって板厚方向にセット状態と畳んだ状態とに可動連接されると共に、主体的機能部の平面材と支え部の平面材も連接部でもって板厚方向にセット状態と畳んだ状態とに可動連接されるため、家具全体が板厚方向に畳まれ、主体的機能部と支え部が別体の場合に比して、セット状態と畳んだ状態にする作業がし易く、畳んだ状態での保管も容易となる。また畳んだ厚さを小さくでき、畳んで収納する場合には、狭い収納場所への収納に適するものとなる。
【００１３】
第２の発明では、主体的機能部と支え部は別体構成であるため、組み合わせにて家具形態のセット状態となり、分離してそれぞれの平面材を板厚方向に畳んで収納できるため、より狭い収納場所への収納に適するものとなる。このため、椅子の場合は、椅子の座席部と背もたれ部のような家具の主体的機能部と、椅子の支持脚のような家具の支え部は、それぞれ平面材によって構成されるため、構成部材の統一ができ、材料調達や加工工程が簡素化できると共に、その家具全体のデザインの統一ができ、斬新な形態家具を提供できる。また、主体的機能部を構成する平面材相互と、支え部を構成する平面材相互は、それぞれ連接部でもって板厚方向にセット状態と畳んだ状態とに可動連接されるため、主体的機能部と支え部は、各平面材が重なる状態に畳まれることによって畳み厚さを小さくでき、畳んで収納する場合に適するものとなる。
【００１４】
第３の発明では、主体的機能部と支え部が平面材の板厚方向に畳み込み可能に連接部で連接された状態であるため、主体的機能部と支え部を一体としてセット状態と畳んだ状態とに選択できる。また、椅子の座席部と背もたれ部のような家具の主体的機能部と、椅子の支持脚のような家具の支え部は、それぞれ平面材によって構成されると共に、主体的機能部の平面材と支え部の平面材は、いずれも平面材相互が連接部でもって板厚方向にセット状態と畳んだ状態とに可動連接されると共に、主体的機能部の平面材と支え部の平面材も連接部でもって板厚方向にセット状態と畳んだ状態とに可動連接されるため、家具全体が板厚方向に畳まれる。このため、主体的機能部と支え部が別体の場合に比して、セット状態と畳んだ状態にする作業がし易く、畳んだ状態での保管も容易となる。また畳んだ厚さを小さくでき、畳んで収納する場合には、狭い収納場所への収納に適するものとなる。
【００１５】
第４の発明では、第２発明又は第３発明において、主体的機能部と支え部が畳まれて重ね合わさった状態において、平面材が最大４枚重ね状態となる構成によって、家具構成部材の数が少なくコンパクト化できると共に、畳んだ厚さが小さくなり、畳んで収納する場合には、狭い収納場所への収納に適するものとなる。
【００１６】
第５の発明では、第１発明乃至第４発明の効果に加えて、平面材がハニカム材で構成されることによって、十分な強度を有すると共に全体を薄く構成でき、畳んだ状態を小さくでき、収納作業と運搬作業も容易となる。
【００１７】
第６の発明では、平面材相互が板厚方向に畳まれる構成の家具と、この畳んだ状態の家具を板厚方向に収納するパネルのセットによって、組み立て家具を使用しない場合はパネルを収納体として利用できると共に、パネルに家具を収納した状態での家具の形態や色彩、家具の収納位置、更にはパネルの色彩との調和を考慮した構成によって、壁際のアートパネルとしても使用可能となる。また、この家具をパネルから取り外して組み立て家具を使用する場合は、パネルは部屋の仕切りや壁際のアートパネルとしても使用可能となる。
【００１８】
第７の発明では、第６の発明効果に加えて、ハニカム材の平面材によって構成された家具は、十分な強度を有すると共に全体を薄く構成でき、畳んだ状態を薄くできるため、パネルの収納凹部の深さも浅くでき、パネルの厚さも薄くできる。
【発明を実施するための最良の形態】
【００１９】
本発明の組み立て家具は、家具の主体的機能部とこの主体的機能部を支える支え部が、所定の家具形態に組み上がったセット状態と畳んだ状態とに可動構成される組み立て家具であり、前記主体的機能部と前記支え部は、それぞれ単一の平面材構成又は板厚方向にセット状態と畳んだ状態とに可動連接された複数の平面材の組み合わせ構成であり、前記主体的機能部と前記支え部は分離自在構成又は前記平面材の板厚方向にセット状態と畳んだ状態とに可動する連接構成であり、本発明の実施例を以下に記載する。
【実施例１】
【００２０】
次に、本発明の実施の形態について説明する。図１は本発明に係る椅子の斜視図、図２は本発明に係る椅子の側面図、図３は本発明に係る平面材Ｒのハニカム構造の平面図、図４は本発明に係るヒンジ部の断面図、図５は本発明に係るヒンジ部の他の形態を示す断面図、図６は図１の椅子の座席部と背もたれ部の間のヒンジ部の説明図、図７（イ）は図１の椅子を折り畳む途中の状態を示す説明図、図７（ロ）は図１の椅子を折り畳んだ状態を示す平面図、図８（イ）は図１の椅子の支持部の上端と取り付け部との嵌合部の構成図、図８（ロ）は図１の椅子の背もたれ部の下端と取り付け部との嵌合部の構成図、図９は本発明に係る椅子の他の形態を示す斜視図、図１０は本発明に係る椅子の他の形態を示す斜視図、図１１は図１０の椅子を折り畳む途中の状態を示す説明図、図１２は図１０に示す椅子を畳んだ状態の側面図、図１３は本発明に係るテーブルの斜視図、図１４は図１３のテーブルを折り畳む途中の状態を示す説明図、図１５は図１３のテーブルの支持板とテーブル板との嵌合部の構成図、図１６は図１３のテーブルの支持板とテーブル板との嵌合部の他の構成図、図１７（イ）は本発明に係る他の形態のテーブルの斜視図、図１７（ロ）は図１７（イ）のテーブルを畳んだ状態の底面図、図１８は本発明に係るベッド基台の斜視図、図１９は図１８に示すベッド基台を畳んだ状態の底面図、図２０は本発明に係るパネルに対する椅子、テーブル、ベッド基台とパネルへの収納状態を示す斜視図、図２１は本発明に係る外観デザインを考慮して椅子、テーブル、ベッド基台を配置収納した状態のパネルの平面図である。
【００２１】
本発明の実施形態を図に基づき説明する。本発明に係る組み立て家具の代表的なものとして、椅子１、テーブル２０、ベッド基台３０についての実施形態を以下に説明する。１は本発明に係る組み立て家具の代表的な一つである折り畳み自在式椅子である。この椅子１は、主体的機能部Ｐと支え部Ｑで構成され、椅子１の座席部２と背もたれ部３が主体的機能部Ｐを構成し、椅子１の支持脚４が支え部Ｑを構成している。主体的機能部Ｐと支え部Ｑの双方が平面材Ｒの組み合わせによって構成される場合と、主体的機能部Ｐと支え部Ｑのうち、少なくとも主体的機能部Ｐが平面材Ｒの組み合わせによって構成される場合とがある。
【００２２】
先ず、主体的機能部Ｐと支え部Ｑの双方が平面材Ｒの組み合わせによって構成される場合について説明する。図１及び図２に示す椅子１は、座席部２と背もたれ部３が主体的機能部Ｐを構成し、座席部２を形成する平面材Ｒの後端部と背もたれ部３を形成する平面材Ｒの中間部は、折り曲げ自在にヒンジ部（ヒンジ装置）５によって連接されている。座席部２の左右両側には、平面材Ｒで形成した肘掛部６が設けられている。肘掛部６は、座席部２の左右両側前部から立ち上がる前支持辺６Ａと、前支持部６Ａの上端から後方へ略水平に延びる肘掛辺６Ｂが背もたれ部３の左右両側部に連接した形態である。平面材Ｒで形成した座席部２と前支持辺６Ａはヒンジ部５によって連接され、平面材Ｒで形成した前支持辺６Ａと肘掛辺６Ｂはヒンジ部５によって連接され、肘掛辺６Ｂと背もたれ部３の左右両側部はヒンジ部５によって連接されている。
【００２３】
また、椅子１の支持脚４が支え部Ｑを構成しており、支持脚４は、平面材Ｒで形成した台座４Ａと、台座４Ａの後端部から斜め前方へ延びるように平面材Ｒで形成した取り付け部４Ｂと、台座４Ａの前部から立ち上がって取り付け部４Ｂを支えるように平面材Ｒで形成した支持部４Ｃで構成している。台座４Ａの後端部と取り付け部４Ｂはヒンジ部５によって連接され、台座４Ａと支持部４Ｃはヒンジ部５によって連接されている。
【００２４】
図１及び図２に示す椅子１の形態は、主体的機能部Ｐと支え部Ｑが一体形成された形である。これにおいて、各部が上記のようにヒンジ部５によって連接されており、これらが図１及び図２に示すように、所定形態の椅子１を形成する状態にセットされる構成である。この場合、支え部Ｑは、台座４Ａの前部から立ち上がった支持部４Ｃの上端部と取り付け部４Ｂとの連接部１１は、支持部４Ｃの上端突部４Ｃ１が取り付け部４Ｂに形成した横長孔８に着脱自在に嵌合する構成である。そして、主体的機能部Ｐと支え部Ｑは、座席部２の前部下面と取り付け部４Ｂの前端部との連接部１０が、ヒンジ部５によって連接されており、背もたれ部３の下端と取り付け部４Ｂとの連接部１２は、背もたれ部３の下端の突部３Ａが取り付け部４Ｂに形成した横長孔７に着脱自在に嵌合する構成である。
【００２５】
平面材Ｒは、図３乃至図５に示すように、並行配置の一対の表面材Ｒ１とこの一対の表面材Ｒ１に略直角に交差するハニカム状の心材Ｒ２によって、一対の表面材Ｒ１方向に開口する多数のハニカム状空洞Ｓを形成したハニカム構造の板体である。この表面材Ｒ１は例えば、厚さ０．３ｍｍ〜２ｍｍ程度の薄いアルミニウムシート、合成樹脂シート、紙製シートやその他の資材のシートであり、心材Ｒ２は、例えば、厚さ０．０３ｍｍ〜０．２ｍｍ程度の薄いアルミニウムシート、合成樹脂シート、紙製シートやその他の資材のシートで構成され、これらが一体化されて表面材Ｒ１、Ｒ１に対して両端が開口したハニカム状空洞Ｓを形成した平面材Ｒが構成される。この平面材Ｒの厚さは、略１０ｍｍ乃至２０ｍｍであれば、椅子やテーブルとしても十分な強度を保有するものとなる。また、平面材Ｒの端面は、ハニカム状空洞Ｓに充填された合成樹脂材によって覆われる端面構成によって、端面が保護された安全な形態となる。
【００２６】
ヒンジ部５は、市販されている形態の金属製ヒンジや合成樹脂製ヒンジであってもよいが、椅子の外観デザイン等を考慮して、実施例のものは、合成樹脂製ヒンジを採用している。このヒンジは、隣接配置される平面材Ｒの近接部に渡るポリプロピレン等のような可撓性樹脂によって形成している。この場合、隣接配置される平面材Ｒが、それぞれの端部が近接する箇所では、ヒンジ部５は、図４に示すように、ハニカム構造の平面材Ｒの構成を利用して、隣接配置される平面材Ｒのそれぞれのハニカム状心材Ｒの端部に接着する固定部５Ａと、この固定部５Ａ、５Ａに渡る薄片可撓部５Ｂとから構成される。なお、平面材Ｒの端部保護のためには、ヒンジ部５は、図５に示すように、固定部５Ａが表面材Ｒ１の端部を覆う形態とすればよく、上記のように、平面材Ｒの端面を覆う合成樹脂材と一体構成にヒンジを形成すれば好ましい。図６には、図１の椅子の座席部２と背もたれ部３の間のヒンジ部５の状態を示している。
【００２７】
このような構成において、図１及び図２に示すセット状態にある椅子１を折り畳む場合について、以下に説明する。図１及び図２に示すセット状態にある椅子１において、取り付け部４Ｂを若干持ち上げて横長孔８から支持部４Ｃを外す。そして、ヒンジ部５を利用して、支持部４Ｃを台座４Ａに形成した収納開口９へ収納するように折り畳む。支持部４Ｃと台座４Ａが同じ厚さの平面材Ｒであれば、この収納によって、支持部４Ｃと台座４Ａが同一平面となる。そして、ヒンジ部５を利用して、取り付け部４Ｂを台座４Ａの上に重ね合わせるように畳む。この状態で、背もたれ部３を若干持ち上げて横長孔７から外し、ヒンジ部５を利用して、肘掛辺６Ｂと共に背もたれ部３を前方へ回動させて、座席部２の上に重ね合わせるように畳む。座席部２と背もたれ部３と前支持辺６Ａが、支持部４Ｃ及び台座４Ａと同じ厚さの平面材Ｒで構成した場合は、この畳み込みによって、台座４Ａの上に取り付け部４Ｂが重なり、取り付け部４Ｂの上に座席部２が重なり、座席部２の上に肘掛辺６Ｂとその内側に背もたれ部３が重なる。
【００２８】
このように平面材Ｒ相互は、連接部であるヒンジ部５でもって板厚方向にセット状態と畳んだ状態とに可動連接されるため、平面材Ｒが重なる状態に畳まれることによって、畳んだ状態の厚さを小さくでき、折り畳んで収納する場合には、狭い収納場所への収納に適するものとなる。
【００２９】
上記の畳み込み工程に替わって、横長孔８から支持部４Ｃを外した後、背もたれ部３を横長孔７から外す順序でもよく、作業し易い順序を採用すればよい。上記において、収納開口９を支持部４Ｃの外形形状と相似形状とすることによって、その収納状態が整った状態となり、後述のパネルへ収納場合に適したものとなる。畳んだ状態からセット状態にする場合は、上記の逆の工程によって、組み立てられる。
【００３０】
椅子１の形態としては、主体的機能部Ｐと支え部Ｑをそれぞれ別体構成とし、これらが図１及び図２に示すように、組み合わされて所定形態の椅子１を形成する構成でもよい。この場合、座席部２の前部下面と取り付け部４Ｂの前端部との結合部１０は、着脱自在に組み合わされた構成とし、この結合部１０の取り外しと、背もたれ部３を横長孔７から外すことによって、主体的機能部Ｐと支え部Ｑは分離できる。この分離状態において、主体的機能部Ｐは、肘掛辺６Ｂと共に背もたれ部３を前方へ回動させて、座席部２の上に重ね合わせるように折り畳む。この折り畳みによって、２枚の平面材Ｒが重ね合わさったコンパクトな折り畳み状態となる。また、支え部Ｑは、取り付け部４Ｂを若干持ち上げて横長孔８から支持部４Ｃを外し、支持部４Ｃを台座４Ａに形成した収納開口９へ収納するように折り畳み、取り付け部４Ｂを台座４Ａの上に重ね合わせるように折り畳む。この折り畳みによって、平面材Ｒが２枚重ね合わさったコンパクトな折り畳み状態となる。そして、このように折り畳まれた主体的機能部Ｐと支え部Ｑを、平面材Ｒの厚さ方向に重ね合わせることによって、平面材Ｒが４枚重ね合わさった折り畳み状態となり、コンパクトな状態となる。折り畳み状態からセット状態にする場合は、上記の逆の工程によって、組み立てられる。
【００３１】
このように主体的機能部Ｐと支え部Ｑが分離できる構成においても、それぞれの平面材Ｒ相互は、連接部であるヒンジ部５でもって板厚方向にセット状態と折り畳み状態とに可動連接されるため、平面材Ｒが重なる状態に折り畳まれた状態の主体的機能部Ｐと支え部Ｑを重ね合わせることによって、折り畳み厚さを小さくでき、狭い収納場所へ収納する場合に適するものとなる。
【００３２】
図９に示す椅子１は、座席部２の左右両側に肘掛部６を設けない形態であるが、基本的な構成は図１及び図２に示す椅子１と同様であり、座席部２と背もたれ部３が主体的機能部Ｐを構成し、支持脚４が支え部Ｑを構成するものである。図１及び図２に示す椅子１と同じ機能部分には同一符号を付しており、折り畳み状態とセット状態、折り畳む工程とセットする工程等については、図１及び図２に示す椅子１と同様であるため、上記の説明を援用する。
【００３３】
図１０に示す椅子１は、座席部２の左右両側に肘掛部６を設けない形態であり、図１及び図２に示す椅子１と同じ機能部分には同一符号を付している。これにおいて、座席部２と背もたれ部３が上記同様の平面材Ｒで形成した主体的機能部Ｐを構成し、支持脚４が上記同様の平面材Ｒで形成した支え部Ｑを構成するものである。座席部２の後端と背もたれ部３の下端部は、左右両側がヒンジ部５で連接しており、背もたれ部３の中間部は下方へ延びた係止辺３Ｋを形成している。支持脚４は交差状態で係合し合う第１支持脚４Ｅと第２支持脚４Ｆとから構成され、第１支持脚４Ｅの上端は座席部２の前端とヒンジ部５で連接しており、第２支持脚４Ｆの上端は座席部２の後端とヒンジ部５で連接している。第２支持脚４Ｆの中間部には係止孔４Ｆ１が横に長く形成され、第１支持脚４Ｅの中間部には、この係止孔４Ｆ１に第１支持脚４Ｅの横幅が狭い先部分が挿入された状態で、この係止孔４Ｆ１の縁に係止される係止段部４Ｅ１を形成している。また、第２支持脚４Ｆの上端部の中央部分には、背もたれ部３の係止辺３Ｋが挿入される切り欠きによって形成した係止部４Ｆ２を形成している。
【００３４】
このような構成において、係止孔４Ｆ１に第１支持脚４Ｅの先部分が挿入されて、係止孔４Ｆ１の縁に係止段部４Ｅ１が係止し、また、座席部２に対して背もたれ部３が立った状態で係止辺３Ｋが係止部４Ｆ２に当接して、背もたれ部３が後方への倒れが防止された状態となり、図１０に示すセット状態を保持する。このセット状態において、背もたれ部３をヒンジ部５によって第２支持脚４Ｆと略同一平面状態にすると共に、第１支持脚４Ｅを第２支持脚４Ｆの係止孔４Ｆ１から抜いて、ヒンジ部５によって座席部２を背もたれ部３の上側に畳むと共に、第１支持脚４Ｅをヒンジ部５によって座席部２の裏側に沿うように畳み込む。このような畳み込み操作によって、図１１の状態に畳まれつつ図１２に示すように、椅子１は畳まれた状態となる。これによって、平面材Ｒが３枚重ね合わさった折り畳み状態となり、コンパクトな状態となる。
【００３５】
図１３にはテーブル２０を示す。これにおいて、上記同様の平面材Ｒで形成したテーブル板２１が主体的機能部Ｐを構成し、上記同様の平面材Ｒで形成した左右一対の支持脚２２Ｌ、２２Ｒが支え部Ｑを構成する。各支持脚２２Ｌ、２２Ｒは、左右一対の支持板２２Ａ、２２Ｂが、その下端部２３で上記同様のヒンジ部５でもって、板厚方向にセット状態と折り畳み状態とに可動連接されている。支持脚２２Ｌ、２２Ｒは、左右一対の支持板２２Ａ、２２Ｂの何れか一方（図では支持板２２Ａ）の上端部２４が、上記同様のヒンジ部５でもって、テーブル板２１の下面に板厚方向にセット状態と折り畳み状態とに可動連接されており、残りの他方の支持板２２Ａ、２２Ｂ（図では支持板２２Ｂ）の上端部は、テーブル板２１に設けた係止部（孔又は突起部）２５に係止する構成である。この係止によって、図１３に示すように、テーブル板２１が各支持脚２２Ｌ、２２Ｒで支えられてセット状態となる。
【００３６】
テーブル２０を図１３に示すセット状態から収納状態へ折り畳む場合は、テーブル板２１を若干持ち上げた状態で、図１４のように前記係止部による係止状態から支持脚２２Ｌ、２２Ｒを外す。この状態で、左右一対の支持板２２Ａ、２２Ｂが重なるようにテーブル板２１の下側面に沿って折り畳み、テーブル板２１の下側面に沿わせることによって、各支持脚２２Ｌ、２２Ｒがテーブル板２１の下側面に沿って折り畳まれた状態となる。この折り畳まれた状態の厚さは、３枚の平面材Ｒが重なった厚さとなる。この折り畳まれた状態から図１３に示すセット状態への移行は、上記とは逆の工程によって達成できる。
【００３７】
テーブル２０の他の形態を図１７（イ）（ロ）に示す。テーブル２０を図１７（イ）に示すセット状態から収納状態へ折り畳む場合は、テーブル板２１を若干持ち上げた状態で、係止部による係止状態から支持脚２２Ｌ、２２Ｒを外す。この状態で、左右一対の支持板２２Ａ、２２Ｂが延びた状態にテーブル板２１の下側面に沿って畳み、テーブル板２１の下側面に沿わせることによって、図１７（ロ）に示すように、各支持脚２２Ｌ、２２Ｒがテーブル板２１の下側面に沿って畳まれた状態となる。この折り畳まれた状態の厚さは、２枚の平面材Ｒが重なった厚さとなる。この畳まれた状態から図１７（イ）に示すセット状態への移行は、上記とは逆の工程によって達成できる。
【００３８】
このように平面材Ｒ相互は、連接部であるヒンジ部５でもって板厚方向にセット状態と折り畳み状態とに可動連接されるため、平面材Ｒが重なる状態に畳まれることによって、折り畳み厚さを小さくでき、畳んで収納する場合には、狭い収納場所への収納に適するものとなる。
【００３９】
テーブル２０の形態としては、主体的機能部Ｐと支え部Ｑをそれぞれ別体構成とし、これらが図１３または図１７（イ）に示すように、組み合わされて所定形態のテーブル２０を形成する構成でもよい。この場合、各支持脚２２Ｌ、２２Ｒとテーブル板２１は、上端部２４をヒンジとせずに、係止部（孔又は突起部）２５と同様の係止部に、支持板２２Ａ、２２Ｂの上端部が係止する構成とすることによって達成できる。これによって、主体的機能部Ｐと支え部Ｑが、この係止部で結合されてセット状態となり、また、畳む場合は、主体的機能部Ｐと支え部Ｑをこの係止部で分離すればよい。この分離状態において、各支持脚２２Ｌ、２２Ｒは支持板２２Ａ、２２Ｂが重なるように畳むことができる。また、畳んだ状態が、図１７（ロ）に示すようにすれば、即ち、一方の平面状に延びた状態の支持脚２２Ｌの内側に、他方の平面状に延びた状態の支持脚２２Ｒが配置されるように、各支持脚２２Ｌ、２２Ｒの横幅を規定することによって、両支持脚２２Ｌ、２２Ｒの平面材Ｒが一平面状に延びた配置状態で、テーブル板２１の下側面に平板状に沿わせて収納することができ、両支持脚２２Ｌ、２２Ｒの平面材Ｒは、テーブル板２１の平面材Ｒと重ね合わせても、２枚の平面材Ｒが重なった厚さの収納形態を取るようになる。
【００４０】
図１８にはベッドマットを載せるためのベッド基台３０を示す。これにおいて、上記同様の平面材Ｒで形成したベッド板３１が主体的機能部Ｐを構成し、上記同様の平面材Ｒで形成した左右一対の支持脚３２Ｌ、３２Ｒが支え部Ｑを構成する。各支持脚３２Ｌ、３２Ｒは、左右一対の支持板３３Ａ、３３Ｂが、その下端部３３で上記同様のヒンジ部５でもって、板厚方向にセット状態と折り畳み状態とに可動連接されている。支持脚３２Ｌ、３２Ｒは、左右一対の支持板３３Ａ、３３Ｂの何れか一方（図では支持板３３Ｂ）の上端部３４が、上記同様のヒンジ部５でもって、ベッド板３１の下面に板厚方向にセット状態と折り畳み状態とに可動連接されており、残りの他方の支持板３３Ａ、３３Ｂ（図では支持板３３Ａ）の上端部は、ベッド板３１に設けた係止部（孔又は突起部）３５に係止する構成である。図では係止部を孔３５で構成している。この係止によって図１８に示すように、ベッド板３１が支持脚３２Ｌ、３２Ｒで支えられてセット状態となる。図１８では、枕側に位置する支持脚３２Ｌの支持板３３Ａが、係止部である孔３５を貫通してベッド板３１の斜め上方に延びて、枕当て部３６を構成している。
【００４１】
ベッド板３１を図１８に示すセット状態から収納状態へ畳む場合は、ベッド板３１を若干持ち上げた状態で、係止部３５による係止状態から各支持脚３２Ｌ、３２Ｒを外す。この状態で左右一対の支持板３３Ａ、３３Ｂが重なるようにベッド板３１の下側面に沿って畳むことによって、各支持脚３２Ｌ、３２Ｒがベッド板３１の下側面に沿って畳まれた状態となる。この状態から図１８に示すセット状態への移行は、上記とは逆の工程によって達成できる。
【００４２】
このように平面材Ｒ相互は、連接部であるヒンジ部５でもって板厚方向にセット状態と折り畳み状態とに可動連接されるため、平面材Ｒが重なる状態に畳まれることによって、折り畳み厚さを小さくでき、畳んで収納する場合には、狭い収納場所への収納に適するものとなる。
【００４３】
また、畳まれた状態の厚さを減じるために、図１９に示すように、支持脚３２Ｌ、３２Ｒの支持板３３Ａ、３３Ｂが一平面状に延びた状態で、しかも、一方の平面状に延びた状態の支持脚３２Ｌの内側に、他方の平面状に延びた状態の支持脚３２Ｒが配置されるように、ベッド板３１に対する連接位置と各支持脚３２Ｌ、３２Ｒの横幅を規定することによって、両支持脚３２Ｌ、３２Ｒの平面材Ｒが一平面状に延びた配置状態でベッド板３１の下側に収納配置すれば、両支持脚３２Ｌ、３２Ｒの平面材Ｒは、ベッド板３１の平面材Ｒと重ね合わせても、２枚の平面材Ｒが重なった厚さの収納形態を取るようになる。このように、各支持脚３２Ｌ、３２Ｒがベッド板３１の下側面に沿って折り畳まれた状態から、図１８に示すセット状態への移行は、上記とは逆の工程によって達成できる。
【００４４】
次に、組み立て家具用収納パネルについて、図２０に基づき説明する。上記では、畳み込み可能な組み立て家具として、椅子１、テーブル２０、ベッド基台３０について説明したが、これらの家具を畳んだ状態で収納する収納パネル４０について、以下に説明する。パネル４０は、平面材Ｒとは別の資材で構成したものでもよいが、強度的のも強く、薄くできるメリットを活かして、上記の平面材Ｒと同じ構成の平面材Ｒによって形成される場合について、以下に説明する。
【００４５】
収納パネル４０は平板状のものであり、椅子１、テーブル２０、ベッド基台３０が上記のように畳まれた状態、即ち、主体的機能部Ｐと支え部Ｑを構成する平面材Ｒが、板厚方向に重なる状態に畳まれた状態で、パネル４０に形成した収納凹部４１Ａ〜４１Ｃへそれぞれ収納される形態である。
【００４６】
収納凹部４１Ａは、畳んだ状態の椅子１の周囲形の投影面積と略等しい大きさとなるように、畳んだ状態の椅子１の周囲形よりも若干大きな略相似形に形成している。そして、図１０に示す椅子１を畳んで収納する収納凹部４１Ａの深さは、図１２のように畳んだ状態の椅子１の表面がパネル４０の表面と略同一、又は畳んだ状態の椅子１の１枚の平面材Ｒが突出する程度の深さに形成される。この収納凹部４１Ａの深さを形成するために、収納凹部４１Ａ〜４１Ｃの間口を形成する上記の平面材Ｒと同じ構成の平面材Ｒによって形成されたパネル基板４０Ｋの裏側に、収納凹部４１Ａの周囲を巡るように平面材Ｒを２乃至３枚積層し、最裏側の１枚の平面材Ｒによって収納凹部４１Ａの底面を形成している。図２０では、図１２のように畳んだ状態の椅子１の第１支持脚４Ｅを形成する平面材Ｒが突出する程度の深さである。また図１及び図９に示す椅子１の場合も同様に構成できる。椅子１が収納凹部４１Ａに収納された状態を保持するために、適宜の保持装置を設ければよい。
【００４７】
また、収納凹部４１Ｂは、畳んだ状態のテーブル２０の周囲形の投影面積と略等しい大きさとなるように、この畳んだ状態のテーブル２０の周囲形よりも若干大きな略相似形に形成している。そして、図１３に示すテーブル２０を畳んで収納する収納凹部４１Ｂの深さは、畳んだ状態のテーブル２０の表面がパネル４０の表面と略同一、又は畳んだ状態のテーブル２０の支持脚２２Ｌ、２２Ｒを形成する平面材Ｒが突出する程度の深さに形成される。この収納凹部４１Ｂの深さを形成するために、収納凹部４１Ａ〜４１Ｃの間口を形成する上記の平面材Ｒと同じ構成の平面材Ｒによって形成されたパネル基板４０Ｋの裏側に、収納凹部４１Ｂの周囲を巡るように平面材Ｒを１乃至２枚積層し、最裏側の１枚の平面材Ｒによって収納凹部４１Ｂの底面を形成している。図２０では、図１７のように畳んだ状態のテーブル２０の支持脚２２Ｌ、２２Ｒの表面が、パネル４０の表面と略同一となる深さである。テーブル２０が収納凹部４１Ｂに収納された状態を保持するために、適宜の保持装置を設ければよい。
【００４８】
また、収納凹部４１Ｃは、畳んだ状態のベッド基台３０の周囲形の投影面積と略等しい大きさとなるように、畳んだ状態のベッド基台３０の周囲形よりも若干大きな略相似形に形成している。そして、図１８に示すベッド基台３０を畳んで収納する収納凹部４１Ｃの深さは、畳んだ状態のベッド基台３０の支持脚３２Ｌ、３２Ｒの表面と略同一、又は畳んだ状態のベッド基台３０の支持脚３２Ｌ、３２Ｒを形成する平面材Ｒが突出する程度の深さに形成される。この収納凹部４１Ｃの深さを形成するために、収納凹部４１Ａ〜４１Ｃの間口を形成する上記の平面材Ｒと同じ構成の平面材Ｒによって形成されたパネル基板４０Ｋの裏側に、収納凹部４１Ｃの周囲を巡るように平面材Ｒを１乃至２枚積層し、最裏側の１枚の平面材Ｒによって、収納凹部４１Ｃの底面を形成している。図１８では、図１９のように畳んだ状態のベッド基台３０の支持脚３２Ｌ、３２Ｒの表面が、パネル４０の表面と略同一となる深さである。ベッド基台３０が収納凹部４１Ｃに収納された状態を保持するために、適宜の保持装置を設ければよい。
【００４９】
このように畳んだ椅子１、テーブル２０、ベッド基台３０で代表的に示した組み立て家具を収納するパネル４０は、これらを収納しない状態のパネル自体でもって、建物内の部屋の仕切り、衝立、壁材として利用できるものであり、表面に色彩を施すことによって、外観デザインの向上効果がある。また、椅子１、テーブル２０、ベッド基台３０を配置収納した状態のパネル４０の外観デザイン向上の一つ実施例を図２１に示している。これにおいて、図１２のように畳んだ椅子１が３個ずつ上下に配置され、その右側に図１７のように畳んだテーブル２０が配置され、その右側に図１９のように畳んだベッド基台３０が配置されている。
【００５０】
そして、表に現れている椅子１の第１支持脚４Ｅ、座席部２、第２支持脚４Ｆの部分の色彩を椅子１ごとに別色とし、また、テーブル２０については、表に現れているテーブル板２１と、支持脚２２Ｌ、２２Ｒの支持板２２Ａ、２２Ｂの色彩を別色とし、また、ベッド基台３０については、表に現れているベッド板３１と、支持脚３２Ｌ、３２Ｒの支持板３３Ａ、３３Ｂの色彩を別色とすることによって、椅子１、テーブル２０、ベッド基台３０を配置収納した状態でのパネル４０の外観デザインの向上効果が増す。
【００５１】
この一つの実施例を示せば、６個の椅子１については、それぞれ第１支持脚４Ｅをピンク、黄緑、紫、黄、淡青、紫の各色とし、座席部２を黄、白、橙、グレー、白、茶の各色とし、第２支持脚４Ｆを青、グレー、ピンク、橙、緑、橙の各色とする配色とする。またテーブル２０については、テーブル板２１をグレーとし、支持脚２２Ｌの支持板２２Ａを橙、支持板２２Ｂを黄とし、支持脚２２Ｒの支持板２２Ａを紫、支持板２２Ｂを青の各色とする配色とする。また、ベッド基台３０については、ベッド板３１を白とし、支持脚３２Ｌの支持板３３Ａを紫、支持板３３Ｂをピンクとし、支持脚３２Ｒの支持板３３Ａを紫、支持板３３Ｂを黄とする配色とする。そして、パネルは背景色としてグレーとする。このように、各部分の配色によって、パネル４０は組み立て家具を収納配置した状態で、アートパネルとして、部屋の装飾効果を高めることができるものとなる。
【産業上の利用可能性】
【００５２】
本発明は、上記実施形態に限定されず、各種の家具とこれらの収納を行うパネルとを採用して、本発明の技術的範囲を逸脱しない限り種々の変更が考えられ、それに係る種種の実施形態を包含するものである。
【図面の簡単な説明】
【００５３】
【図１】本発明に係る椅子の斜視図である。（実施例１）
【図２】本発明に係る椅子の側面図である。（実施例１）
【図３】本発明に係る平面材Ｒのハニカム構造の平面図である。（実施例１）
【図４】本発明に係るヒンジ部の断面図である。（実施例１）
【図５】本発明に係るヒンジ部の他の形態を示す断面図である。（実施例１）
【図６】図１の椅子の座席部と背もたれ部の間のヒンジ部の説明図である。（実施例１）
【図７】（イ）は図１の椅子を折り畳む途中の状態を示す説明図である。（ロ）は図１の椅子を折り畳んだ状態を示す平面図である。（実施例１）
【図８】（イ）は図１の椅子の支持部の上端と取り付け部との嵌合部の構成図である。（ロ）は図１の椅子の背もたれ部の下端と取り付け部との嵌合部の構成図である。（実施例１）
【図９】本発明に係る椅子の他の形態を示す斜視図である。（実施例１）
【図１０】本発明に係る椅子の他の形態を示す斜視図である。（実施例１）
【図１１】図１０の椅子を折り畳む途中の状態を示す説明図である。（実施例１）
【図１２】図１０に示す椅子を畳んだ状態の側面図である。（実施例１）
【図１３】本発明に係るテーブルの斜視図である。（実施例１）
【図１４】図１３のテーブルを折り畳む途中の状態を示す説明図である。（実施例１）
【図１５】図１３のテーブルの支持板とテーブル板との嵌合部の構成図である。（実施例１）
【図１６】図１３のテーブルの支持板とテーブル板との嵌合部の他の構成図である。（実施例１）
【図１７】（イ）は本発明に係る他の形態のテーブルの斜視図である。（ロ）は図１７（イ）のテーブルを畳んだ状態の底面図である。（実施例１）
【図１８】本発明に係るベッド基台の斜視図である。（実施例１）
【図１９】図１８に示すベッド基台を畳んだ状態の底面図である。（実施例１）
【図２０】本発明に係るパネルに対する椅子、テーブル、ベッド基台とパネルへの収納状態を示す斜視図である。（実施例１）
【図２１】本発明に係る外観デザインを考慮して椅子、テーブル、ベッド基台を配置収納した状態のパネルの平面図である。（実施例１）
【符号の説明】
【００５４】
１・・・・椅子
２・・・・座席部
３・・・・背もたれ部
４・・・・支持脚
４Ａ・・・台座
４Ｂ・・・取り付け部
４Ｃ・・・支持部
４Ｅ・・・第１支持脚
４Ｅ１・・係止段部
４Ｆ・・・第２支持脚
４Ｆ１・・係止孔
５・・・・ヒンジ部
６・・・・肘掛部
７・・・・横長孔
８・・・・横長孔
９・・・・収納開口
２０・・・テーブル
２１・・・テーブル板
２２Ａ、２２Ｂ・・・支持板
２２Ｌ、２２Ｒ・・・支持脚
３０・・・ベッド基台
３１・・・ベッド板
３２Ｌ、３２Ｒ・・・支持脚
３３Ａ、３３Ｂ・・・支持板
３５・・・係止孔
４０・・・パネル
４１Ａ、４１Ｂ、４１Ｃ・・・収納凹部
Ｐ・・・・主体的機能部
Ｑ・・・・支え部
Ｒ・・・・平面材
【図１】
2007301026.tif 000003
【図２】
2007301026.tif 000004
【図３】
2007301026.tif 000005
【図４】
2007301026.tif 000006
【図５】
2007301026.tif 000007
【図６】
2007301026.tif 000008
【図７】
2007301026.tif 000009
【図８】
2007301026.tif 000010
【図９】
2007301026.tif 000011
【図１０】
2007301026.tif 000012
【図１１】
2007301026.tif 000013
【図１２】
2007301026.tif 000014
【図１３】
2007301026.tif 000015
【図１４】
2007301026.tif 000016
【図１５】
2007301026.tif 000017
【図１６】
2007301026.tif 000018
【図１７】
2007301026.tif 000019
【図１８】
2007301026.tif 000020
【図１９】
2007301026.tif 000021
【図２０】
2007301026.tif 000022
【図２１】
2007301026.tif 000023